(57)【要約】  生体試料測定器と、測定関連情報を供給する測定関連情報供給器（８）とを備えた生体試料測定装置である。測定関連情報供給器（８）は、測定関連情報を読み取る読取部（２２）と、測定関連情報供給器（８）の識別情報が記憶された第１の記憶部（１９）と、生体試料測定器に対して測定関連情報および測定関連情報供給器（８）の識別情報を送信する送信部（２３）とを有する。生体試料測定器は、生体試料検出センサの装着部および表示部を有する本体ケースと、本体ケース内で装着部に接続した測定部と、測定部に接続した制御部と、制御部に接続し、測定関連情報供給部の送信部から送信された測定関連情報および測定関連情報供給器の識別情報を受信する受信部とを有する。
2012132358.tif 000002
【特許請求の範囲】
【請求項１】
生体試料測定器と、前記生体試料測定器に測定関連情報を供給する測定関連情報供給器とを備えた生体試料測定装置であって、
前記測定関連情報供給器は、
前記測定関連情報を読み取る読取部と、
前記測定関連情報供給器の識別情報が記憶された第１の記憶部と、
前記生体試料測定器に対して、前記測定関連情報および前記測定関連情報供給器の前記識別情報を送信する送信部とを有し、
前記生体試料測定器は、
生体試料検出センサの装着部および表示部を有する本体ケースと、
前記本体ケース内で前記装着部に接続した測定部と、
前記測定部に接続した制御部と、
前記制御部に接続し、前記測定関連情報供給部の送信部から送信された、前記測定関連情報および前記測定関連情報供給器の前記識別情報を受信する受信部とを有する
生体試料測定装置。
【請求項２】
前記生体試料測定器は、さらに、
前記測定関連情報供給器から送信された前記測定関連情報および前記測定関連情報供給器の前記識別情報を記憶する第２の記憶部と、
前記第２の記憶部に記憶された情報を外部機器に提供するための、前記制御部に接続された接続端子とを有する
請求項１に記載の生体試料測定装置。
【請求項３】
前記生体試料測定器の前記第２の記憶部には、前記生体試料測定器の識別情報が記憶されている
請求項２に記載の生体試料測定装置。
【請求項４】
前記生体試料測定器の前記本体ケースの表面に、前記受信部が設けられた
請求項３に記載の生体試料測定装置。
【請求項５】
前記測定関連情報供給器は板状の面を有し、前記板状の面の中央部に、前記読取部および前記送信部が設けられる
請求項１に記載の生体試料測定装置。
【請求項６】
前記測定関連情報供給器は、電源スイッチをさらに有し、
前記電源スイッチは、前記板状の面を有する前記測定関連情報供給器の外縁部近傍に設けられる
請求項５に記載の生体試料測定装置。
【請求項７】
前記測定関連情報供給器の前記電源スイッチは感圧式スイッチであり、
前記感圧式スイッチが、感圧状態の時にのみ前記測定関連情報供給器に電源が供給される構成とした
請求項６に記載の生体試料測定装置。
【請求項８】
前記測定関連情報供給器の前記第１の記憶部は、前記読取部で読み取った前記測定関連情報を記憶し、
前記第１の記憶部に記憶された前記測定関連情報は、前記送信部による前記生体試料測定器の前記受信部に対する前記測定関連情報の送信後に消去される
請求項１に記載の生体試料測定装置。
【請求項９】
前記生体試料測定器の前記第２の記憶部には、前記生体試料検出センサで検出した測定値が記憶されている
請求項２に記載の生体試料測定装置。
【発明の詳細な説明】
【技術分野】
【０００１】
本発明は、生体試料測定器と、生体試料測定器に測定関連情報を供給する測定関連情報供給器とを備えた生体試料測定装置に関する。
【背景技術】
【０００２】
まず、従来の生体試料測定器について説明する。従来の生体試料測定器は、生体試料センサの装着部と表示部とを有する本体ケース、本体ケース内に配置され、装着部に接続する測定部、測定部に接続する制御部、および、制御部に接続する測定関連情報読取部（例えばバーコードスキャナ）を備える構成である（例えば、特許文献１参照）。【０００３】
このような生体試料測定器は、病院において広く活用されている。病院においては、測定記録を残すため、例えば、測定者ＩＤ（個別識別情報であり、以下ＩＤとも記す）、患者ＩＤ、および、生体試料センサＩＤ等の測定関連情報を生体試料測定器のバーコードスキャナを用いて読み取る。その後に、生体試料の測定を行い、結果を表示部に表示する。【０００４】
しかしながら、従来の生体試料測定器においては、測定関連情報を読み取るバーコードスキャナを生体試料測定器に配置している。したがって、測定者ＩＤ、患者ＩＤおよび生体試料センサＩＤを読み取る際には、バーコードスキャナや表示部を備えた、重い生体試料測定器本体を持って、測定関連情報の読み取りを行なう必要がある。よって、複数の患者を連続して測定していく必要のある病院業務においては、測定者の負担が大きいものとなっている。
【先行技術文献】
【特許文献】
【０００５】
【特許文献１】国際公開第２００５／０００１１４号
【発明の概要】
【０００６】
本発明は、上述した課題に鑑みてなされたものであり、測定者の負担を軽減することのできる生体試料測定装置を提供するものである。
【０００７】
本発明の生体試料測定装置は、生体試料測定器と、生体試料測定器に測定関連情報を供給する測定関連情報供給器とを備えた生体試料測定装置である。測定関連情報供給器は、測定関連情報を読み取る読取部と、測定関連情報供給器の識別情報が記憶された第１の記憶部と、生体試料測定器に対して測定関連情報および測定関連情報供給器の識別情報を送信する送信部とを有している。生体試料測定器は、生体試料検出センサの装着部および表示部を有する本体ケースと、本体ケース内で装着部に接続した測定部と、測定部に接続した制御部と、制御部に接続し、測定関連情報供給部の送信部から送信された測定関連情報および測定関連情報供給器の識別情報を受信する受信部とを有している。
【０００８】
このような構成により、測定関連情報の読取部を生体試料測定器とは別に設けた測定関連情報供給器に配置することができる。これにより、測定者は、測定関連情報供給器を用いて、測定関連情報を読み取り、読み取った測定関連情報に、測定関連情報供給器の識別情報を加えて生体試料測定器に送信することができる。したがって、測定者は、バーコードスキャナや表示部等を備えた重量の重い生体試料測定器本体を持って各種の測定関連情報を読み取る必要がなくなり、その結果、測定者の負担を軽減することができる。
【図面の簡単な説明】
【０００９】
【図１】図１は、本発明の実施の形態に係る生体試料測定装置を構成する生体試料測定器の斜視図である。
【図２】図２は、本発明の実施の形態に係る生体試料測定装置を構成する測定関連情報供給器の斜視図である。
【図３】図３は、本発明の実施の形態における生体試料測定器の制御ブロック図である。
【図４】図４は、本発明の実施の形態における測定関連情報供給器の制御ブロック図である。
【図５】図５は、本発明の実施の形態における測定関連情報供給器が読み取る測定関連情報を保持する腕輪の斜視図である。
【図６】図６は、本発明の実施の形態における測定関連情報供給器が読み取る測定関連情報を保持する血糖値センサボトルの斜視図である。
【図７】図７は、本発明の実施の形態における生体試料測定器の制御フローを示すフローチャートである。
【図８】図８は、本発明の実施の形態における測定関連情報供給器の制御フローを示すフローチャートである。
【図９】図９は、本発明の実施の形態における生体試料測定器の表示内容を示す図である。
【発明を実施するための形態】
【００１０】
以下、本発明の実施の形態について、図面を用いて説明する。なお、本発明は以下の実施の形態に限定されるものではない。
【００１１】
図１は、本発明の実施の形態に係る生体試料測定装置を構成する生体試料測定器１の斜視図である。
【００１２】
図１に示したように、本発明の実施の形態における生体試料測定器１は、例えば病院等で使用される血糖値の測定器である。生体試料測定器１は、ほぼ長方形状に形成した本体ケース２を備えている。本体ケース２の先端側には、血糖値センサ（生体試料検出センサの一例）３の接続端子４を挿入するセンサ装着部５が設けられている。本体ケース２の表面には、表示部６、電源スイッチ７、および、測定関連情報供給器８（図２参照）から測定関連情報を受信する受信部９が設けられている。受信部９は、ＲＦＩＤ（Ｒａｄｉｏ  Ｆｒｅｑｕｅｎｃｙ  ＩＤｅｎｔｉｆｉｃａｔｉｏｎ）情報を読み取るリーダであり、電波によるＲＦＩＤ通信を行う。つまり、本実施の形態においては、ＲＦＩＤ通信による近接通信を行う。
【００１３】
測定者は、血糖値センサ３の接続端子４をセンサ装着部５に装着し、その状態で、血糖値センサ３の先端側の点着部１０に血液を点着する。これにより、このときの血糖値が、測定部１１（図３参照）によって測定され、表示部６に表示される。
【００１４】
生体試料測定器１は、例えば、病院における病室間の移動時等には、ワゴン等の上に置かれて移動させられる。
【００１５】
図２は、本発明の実施の形態に係る生体試料測定装置を構成する測定関連情報供給器８の斜視図である。測定関連情報供給器８は、薄い板状の面を有し、四角いカード形状（四角い薄板形状）をしている。測定関連情報供給器８は、病院の測定者（例えば看護師）１人に対して１つ供給されるもので、表面には、測定者の情報が、例えば「看護師、内科  第１病棟、日本  花子」と印刷されている。
【００１６】
また、測定関連情報供給器８の表面の外縁部近傍、図２の例においては、左下部分に、測定関連情報供給器８に電力を供給するための電源スイッチ１５が設けられている。電源スイッチ１５が押されることにより、測定関連情報の読み取りや、読み取った測定関連情報の生体試料測定器１への送信が行われる。なお、この読み取りおよび送信は、ＲＦＩＤ通信による近接通信で行われる。
【００１７】
本実施の形態においては、一台の生体試料測定器１と、複数台の測定関連情報供給器８との組み合わせによって、生体試料測定装置を構成している。しかしながら、生体試料測定装置を構成する、それぞれの機器の数はこの例に限定されない。
【００１８】
図３は、本発明の実施の形態における生体試料測定器１の制御ブロック図である。センサ装着部５が接続された測定部１１は、制御部１２に接続されている。また、制御部１２には、電波により測定関連情報を受信する受信部９、電源スイッチ７、表示部６、および、例えば充電式の電池２７が接続されている。制御部１２には、さらに記憶部１３（第２の記憶部）が接続され、記憶部１３内には、生体試料測定器１の認証情報（測定器ＩＤ）が記憶されている。
【００１９】
記憶部１３は、受信部９を介して測定関連情報供給器８から受信した測定関連情報を、制御部１２の制御によって記憶する。制御部１２には、さらに、記憶部１３に記憶した測定関連情報を外部機器に提供する接続端子１４が接続されている。
【００２０】
図４は、本発明の実施の形態における測定関連情報供給器８の制御ブロック図である。電源スイッチ１５は、制御部１６に接続されている。制御部１６には、電池１７、ブザー１８、および記憶部１９（第１の記憶部）が接続されている。記憶部１９には、測定関連情報供給器８の認証情報（測定者ＩＤ）が記憶されている。
【００２１】
図５は、本発明の実施の形態における測定関連情報供給器８が読み取る測定関連情報を保持する腕輪２０の斜視図である。また、図６は、同測定関連情報供給器８が読み取る測定関連情報を保持する血糖値センサボトル２１の斜視図である。
【００２２】
制御部１６には、読取部２２、および、読取部２２で読み取った測定関連情報を生体試料測定器１の受信部９に送信するための送信部２３が接続されている。読取部２２は、患者の腕輪２０（図５参照）や、血糖値センサ３を収納したセンサボトル２１（図６参照）から測定関連情報の読み取りを行う。
【００２３】
測定関連情報供給器８の読取部２２は、ＲＦＩＤ情報を読み取るリーダであり、送信部２３はＲＦＩＤ情報を送信するライタで構成されている。なお、図２に示したように、測定関連情報供給器８の表面中央部には、読取部２２および送信部２３、ならびに、それらの送受信エリア２４が設けられている。
【００２４】
読取部２２および送信部２３が行うＲＦＩＤ処理は広く知られているので、詳細な説明は割愛する。測定関連情報供給器８の送受信エリア２４を、患者が装着している腕輪２０（図５参照）に組み込まれたＩＣタグ２５にかざす（近接させる）と、ＩＣタグ２５内の患者ＩＤが読取部２２に認証処理されて読み取られる。
【００２５】
これと同様に、測定関連情報供給器８の送受信エリア２４を、センサボトル２１（図６参照）に組み込まれたＩＣタグ２６にかざす（近接させると）と、ＩＣタグ２６内の生体試料センサＩＤが読取部２２によって認証処理されて読み取られる。
【００２６】
以上述べた生体試料測定装置の動作について、病院で使用される場合を例として説明する。
【００２７】
図７は、本発明の実施の形態における生体試料測定器１の制御フローを示すフローチャートである。図８は、同実施の形態における測定関連情報供給器８の制御フローを示すフローチャートである。
【００２８】
病院において、測定者は、生体試料測定器１を充電用のクレードル（図示せず）から取り外す。そして、測定者は、例えばワゴン上に、生体試料測定器１、および血糖値センサ３を収納したセンサボトル２１（図６参照）を乗せて病室に運び込む。
【００２９】
病院においては、測定記録を残すため、例えば、患者ＩＤ、および生体試料センサＩＤ等の測定関連情報を、測定毎に収集する場合がある。
【００３０】
測定者は、生体試料測定器１の電源スイッチ７を「オン」にして、生体試料測定器１の電源を入れる。そうすると、生体試料測定器１の制御部１２に電池２７の電力が供給される（Ｓ１）。制御部１２は、通信モードとなり（Ｓ２）、受信部９を用いて測定関連情報供給器８へ一定の間隔で通信要求を発信して（Ｓ３）、測定関連情報供給器８からの応答を待つ（Ｓ４）。
【００３１】
このとき、測定者は、図２に示した、薄板状で四角いカード形状の測定関連情報供給器８を、例えば透明樹脂でできたケースに入れて、胸に装着しているものとする。
【００３２】
ここで、上述した生体試料測定器１の動作に対応する測定関連情報供給器８の動作を、図８を用いて説明する。
【００３３】
測定者が、測定関連情報供給器８を胸から取り外して、測定関連情報供給器８の電源スイッチ１５を押す。そうすると、測定関連情報供給器８に電池１７の電力が供給される（Ｓ２１）。測定関連情報供給器８の制御部１６は読み取りモードになる（Ｓ２２）。そして、制御部１６は、読取部２２を用いて、ステップＳ３（図７）で生体試料測定器１が発信する通信要求の有無を確認する（Ｓ２３）。
【００３４】
生体試料測定器１からの通信要求がないとき、つまり、測定者が測定関連情報供給器８を生体試料測定器１の受信部９にかざしていない（近接させていない）ときには、制御部１６は、読取部２２を用いて測定関連情報の読み取りを行う（Ｓ２３，ＮＯ）。具体的には、測定者が、測定関連情報供給器８の送受信エリア２４（図２参照）を、患者の腕輪２０（図５参照）に組み込まれたＩＣタグ２５にかざす（近接させる）。これにより、ＩＣタグ２５内の患者ＩＤが、ＲＦＩＤのリーダである読取部２２によって認証処理されて読み取られ、制御部１６を介して記憶部１９に記憶される（Ｓ２４）。
【００３５】
このとき、制御部１６は、患者ＩＤ認識完了の通知として「ピッ」という電子音をブザー１８から発生させてもよい。この電子音により、測定者は、患者ＩＤが読取部２２によって読み取られたことを認識することが出来る。患者ＩＤの読み取り後、制御部１６は、ステップＳ２１の処理に戻る。
【００３６】
患者ＩＤの読み取りが行われた後、測定者は、センサボトル２１の生体試料センサＩＤの読み取り操作を行う。
【００３７】
具体的には、上述の患者ＩＤの読み取り操作と同様に、測定者が、測定関連情報供給器８の電源スイッチ１５を押すと、測定関連情報供給器８に電池１７の電力が供給され（Ｓ２１）、測定関連情報供給器８の制御部１６は、読み取りモードとなる（Ｓ２２）。次に、制御部１６は、読取部２２を用いて、ステップＳ３（図７参照）での生体試料測定器１が発信する通信要求の有無を確認する（Ｓ２３）。
【００３８】
生体試料測定器１からの通信要求がないとき（Ｓ２３，ＮＯ）に、測定者が、測定関連情報供給器８の送受信エリア２４（図２参照）をセンサボトル２１（図６参照）に組み込まれたＩＣタグ２６にかざす（近接させる）。そうすると、ＩＣタグ２６内の生体試料センサＩＤが、読取部２２によって認証処理されて読み取られ、制御部１６を介して記憶部１９に記憶される（Ｓ２４）。
【００３９】
このとき、制御部１６は生体試料センサＩＤ認識完了の通知として「ピピッ」という、患者ＩＤの読み取り完了時とは異なる電子音を、ブザー１８から発生させてもよい。この電子音により、測定者は、生体試料センサＩＤが読取部２２によって読み取られたことを認識することが出来る。生体試料センサＩＤの読み取り後、制御部１６は、ステップＳ２１の処理に戻る。
【００４０】
次に、測定者は、読み取った測定関連情報を生体試料測定器１に送信するための操作を行う。
【００４１】
具体的には、測定者は、測定関連情報供給器８の電源スイッチ１５を押す。これにより、上述のように、測定関連情報供給器８に電力が供給され（Ｓ２１）、測定関連情報供給器８の制御部１６が読み取りモードとなり（Ｓ２２）、制御部１６は、生体試料測定器１が発信する通信要求の有無を確認する（Ｓ２３）。
【００４２】
この状態で、測定者が、測定関連情報供給器８の送受信エリア２４を生体試料測定器１（図１参照）の本体ケース２の上面に設けた受信部９にかざす（近接させる）。そうすると、制御部１６は、読取部２２を介して生体試料測定器１からの通信要求を受け取り（Ｓ２３，ＹＥＳ）、制御部１６を返信モードにする。このとき、制御部１６は、送信部２３を介して生体試料測定器１の受信部９に返信通知を行う（Ｓ２５）。
【００４３】
次に、制御部１６は、測定関連情報供給器８に読み込まれ記憶部１９に記憶された、測定関連情報としての患者ＩＤおよび生体試料センサＩＤと、記憶部１９にあらかじめ記憶された測定者ＩＤとを、送信部２３を用いて生体試料測定器１の受信部９に送信する（Ｓ２６）。
【００４４】
そして、制御部１６は、測定関連情報供給器８に読み込まれて記憶部１９に記憶された測定関連情報、具体的には、患者ＩＤおよび生体試料センサＩＤを消去し（Ｓ２７）、一連の測定関連情報の読み取りを終了する（Ｓ２８）。
【００４５】
図７に戻って、生体試料測定器１の動作について、その続きを説明する。
【００４６】
ステップＳ４において、生体試料測定器１が、受信部９を介して測定関連情報供給器８から返信通知（Ｓ２５）を受け取る（Ｓ４，ＹＥＳ）と、引き続いて、測定関連情報供給器８から測定関連情報を受け取る。具体的には、測定関連情報である患者ＩＤおよび生体試料センサＩＤ、ならびに測定者ＩＤを受け取る（Ｓ５）。
【００４７】
一方、ステップＳ４において、生体試料測定器１が、受信部９を介して測定関連情報供給器８から返信通知を受け取らない場合には（Ｓ４，ＮＯ）、ステップＳ３に戻る。
【００４８】
測定関連情報供給器８から測定関連情報を受け取った生体試料測定器１の制御部１２は、受け取った情報が全て揃っているか否かの確認を行う（Ｓ６）。測定者ＩＤ、患者ＩＤ、および生体試料センサＩＤのうちいずれか一つでも欠けている場合、例えば患者ＩＤが欠けている場合（Ｓ６、ＮＯ）には、図９に示すように、生体試料測定器１の制御部１２は、表示部６に「患者ＩＤがありません。」「もう一度全てのＩＤを読み取って下さい。」等の情報が足りないことの表示を行う（Ｓ７）。
【００４９】
図９は、本発明の実施の形態における生体試料測定器１の表示内容を示す図である。
【００５０】
図９に示す表示を見た測定者は、もう一度、測定関連情報供給器８を用いて患者ＩＤおよび生体試料センサＩＤ等の読み込みを行い、再び測定関連情報供給器８の送受信エリア２４を、生体試料測定器１の本体ケース２上面の受信部９にかざして情報を生体試料測定器１に送信する（Ｓ２１〜Ｓ２７）。生体試料測定器１の制御部１２は、ステップＳ３に戻り、上述したステップＳ３〜ステップＳ６の手順を繰り返して測定関連情報供給器８からの情報を受け取る。
【００５１】
ステップＳ６において、全ての情報が揃っているときには（Ｓ６，ＹＥＳ）、制御部１２は、これらの測定関連情報を記憶部１３に記憶するとともに、制御部１２を測定モードにする（Ｓ８）。
【００５２】
その後、測定者が、血糖値センサ３の接続端子４を生体試料測定器１のセンサ装着部５に装着し、血糖値センサ３の先端側の点着部１０に血液を点着する（Ｓ９）。そうすると、その血液の血糖値が測定部１１（図３参照）によって測定され、記憶部１３に記憶される（Ｓ１０）。このとき、血糖値が表示部６に表示されるようにしてもよい。
【００５３】
測定者は、ステップＳ３〜ステップＳ１０の手順を患者の数だけ繰り返す。測定者は、全ての測定が終了したと判断したときには、生体試料測定器１をクレードル（図示せず）上に戻す。このとき、生体試料測定器１の制御部１２は、記憶部１３に記憶した測定関連情報および血糖値を外部機器（例えばクレードル）に提供するための接続端子１４が、クレードルの接続端子（図示せず）と電気的に接続されている。
【００５４】
すると、生体試料測定器１の制御部１２が、測定が終了したと判断し（Ｓ１１，ＹＥＳ）、接続端子１４を介して記憶部１３の測定関連情報および血糖値を外部機器（例えばクレードル）に送り出す（Ｓ１２）。そして、病院において、上述した測定関連情報と血糖値とを関連付けて管理することが可能となる。
【００５５】
一方、上述のように、測定者が生体試料測定器１をクレードル上に戻さない場合には、制御部１２は、ステップＳ３に戻る（Ｓ１１，ＮＯ）。
【００５６】
以上述べたように、本実施の形態においては、生体試料測定器１が、薄板状で四角いカード形状の測定関連情報供給器８から電波により測定関連情報を読み取る。これにより、測定関連情報供給器８を、腕輪２０のＩＣタグ２５またはセンサボトル２１のＩＣタグ２６にかざすことで、患者ＩＤまたは生体試料センサＩＤ等の測定関連情報を電波により読み取ることが出来る。さらに、これらの読み取った測定関連情報に、測定関連情報供給器８の測定者ＩＤを加えて電波により生体試料測定器１に送信することが出来る。
【００５７】
したがって、測定者は、従来のように、測定部１１、表示部６、および電池２７等を備えた重い生体試料測定器１本体を持って、各種の測定関連情報を読み取る必要がなくなる。その結果、忙しい病院業務においても、測定者の負担を軽減することができる。
【００５８】
また、本実施の形態においては、腕輪２０のＩＣタグ２５およびセンサボトル２１のＩＣタグ２６に測定関連情報供給器８をかざすことで、患者ＩＤまたは生体試料センサＩＤを読み取ることが出来るので、従来の読取部（例えば、バーコードリーダ）のように、読み取りの方向性に注意する必要もなく、必要な測定関連情報を読み取ることができる。また、バーコードリーダの使用の際、誤ってバーコードリーダの読み取り光が患者の目に入射することもない。この点からも、測定者の負担を軽減することができる。
【００５９】
さらに、本実施の形態の測定関連情報供給器８においては、電源スイッチ１５を、板状の測定関連情報供給器８表面の外縁部近傍、より具体的には、四角形状の測定関連情報供給器８の表面で左下部分（図２の左側の下側）に設けている。電源スイッチ１５は、測定関連情報供給器８表面の中央部に設けた送受信エリア２４と干渉しない場所に設けられることが望ましい。
【００６０】
これにより、板状の測定関連情報供給器８の外縁部近傍に設けられた電源スイッチ１５に対して、測定者は、例えば親指と人差し指により測定関連情報供給器８の表裏面を挟み込みこんで電源スイッチ１５を押すことができる。この場合、測定関連情報供給器８は、表面中央部に設けられた送受信エリア２４が大きく開放された状態で保持されるので、患者ＩＤまたは生体試料センサＩＤ等の読み取り動作がしやすいものとなる。
【００６１】
さらに、本実施の形態においては、電源スイッチ１５として、感圧式スイッチを用いている。このため、測定関連情報供給器８を測定者の胸に装着するために透明樹脂製ケース等に入れるような場合においても、樹脂ケースの上から電源スイッチ１５を指で押すことにより、スイッチを入れることができる。
【００６２】
また、本実施の形態においては、電源スイッチ１５が感圧状態（オン状態）の時にのみ、測定関連情報供給器８の制御部１６に電池１７の電源を供給する構成としている。このため、測定関連情報（患者ＩＤ、生体試料センサＩＤ）の読み取り動作が終了して測定者が電源スイッチ１５から指を離すと、測定関連情報供給器８の制御部１６への電源供給が直ちに遮断され、それ以上、測定関連情報が読み込まれることはない。
【００６３】
つまり、この状態（電源スイッチ１５から指が離れた状態）では、測定関連情報供給器８の表面中央部の送受信エリア２４に、測定するセンサボトル２１以外のセンサボトル等を近づけたとしても、近づけたセンサボトル等の生体試料センサＩＤが誤って読み込まれる事はない。この点からも、測定者の負担を軽減することができる。
【００６４】
なお、本実施の形態においては、電源スイッチ１５が感圧状態の時にのみ測定関連情報供給器８の制御部１６に電池１７の電源を供給する構成とした。しかしながら、本発明はこの例に限定されない。例えば、電源スイッチ１５が感圧状態となった時に、測定関連情報供給器８の制御部１６がタイマー（図示せず）を用いて所定時間（例えば１０秒）を計測し、その後、電池１７からの制御部１６への電源供給をオフにする構成としてもよい。
【００６５】
このような構成によっても、測定者は所定時間（例えば１０秒）内に測定関連情報（患者ＩＤ、生体試料センサＩＤ）の読み取り動作を終了することができる。そして、所定時間後には制御部１６への電源供給が遮断されるので、誤って測定関連情報が読み込まれる可能性は低い。
【００６６】
さらに、本実施の形態における測定関連情報供給器８は、ＲＦＩＤにより読み取って記憶部１９に記憶した測定関連情報（患者ＩＤ、生体試料センサＩＤ）を、生体試料測定器１の読取部２２に電波により送信した後、記憶部１９から消去する構成としている。このため、次の測定関連情報を読み取る時には、直前の測定関連情報は完全に記憶部１９から消去されているので、次の測定関連情報と直前の測定関連情報が混同されることがない。
【００６７】
なお、測定関連情報供給器８が測定関連情報（患者ＩＤ、生体試料センサＩＤ）を生体試料測定器１に送信するときは、送信後に、測定関連情報供給器８の制御部１６が電源スイッチ１５の感圧状態を判定する。そして、電源スイッチ１５が感圧状態で無いことを確認した後、制御部１６が電池１７からの電源供給をオフにするようにしている。
【００６８】
その結果、正しい測定関連情報を、生体試料測定器１に送信できるものとしつつ、測定者の負担を軽減することができる。
【００６９】
以上述べたように、本実施の形態においては、測定関連情報の読取部２２を生体試料測定器１とは別に設けた測定関連情報供給器８に配置している。よって、測定者は、測定関連情報供給器８を用いて、患者ＩＤおよび生体試料センサＩＤ等の測定関連情報を読み取り、読み取った測定関連情報に測定関連情報供給器８の識別情報を加えて、生体試料測定器１に送信することができる。
【００７０】
したがって、測定者は、バーコードスキャナや表示部等を備えた重量の大きい生体試料測定器本体を持って、各種の測定関連情報を読み取る必要がなくなり、その結果、測定者の負担を軽減することができる。
【産業上の利用可能性】
【００７１】
以上述べたように、本発明によれば、測定者の負担を軽減することができるという格別な効果を奏することができる。これにより、生体試料測定器と、生体試料測定器に測定関連情報を供給する測定関連情報供給器とを備えた生体試料測定装置、例えば血液中から血糖値などの生体情報を測定する生体試料測定装置等として有用である。
【符号の説明】
【００７２】
１    生体試料測定器
２    本体ケース
３    血糖値センサ
４    接続端子
５    センサ装着部
６    表示部
７，１５    電源スイッチ
８    測定関連情報供給器
９    受信部
１０    点着部
１１    測定部
１２，１６    制御部
１３，１９    記憶部
１４    接続端子
１７，２７    電池
１８    ブザー
２０    腕輪
２１    センサボトル
２２    読取部
２３    送信部
２４    送受信エリア
２５，２６    ＩＣタグ
【図１】
2012132358.tif 000003
【図２】
2012132358.tif 000004
【図３】
2012132358.tif 000005
【図４】
2012132358.tif 000006
【図５】
2012132358.tif 000007
【図６】
2012132358.tif 000008
【図７】
2012132358.tif 000009
【図８】
2012132358.tif 000010
【図９】
2012132358.tif 000011
【国際調査報告】
2012132358.tif 000012
2012132358.tif 000013
2012132358.tif 000014
2012132358.tif 000015